(57)【特許請求の範囲】
【請求項１】
切刃部を有する１対の鋏体からなる西洋鋏形状の切断具を、固定鋏体と可動鋏体から構成すると共に、前記切断具を開閉動させる操作具を固定操作棒と可動操作棒から構成し、固定操作棒の先端部にスプロケットおよびラチェットホイールを同軸一体関係に軸支すると共に、可動操作棒に前記ラチェットホイールに切断具閉じ方向の回転駆動力を伝達するように噛合するラチェット爪を設け、さらに前記スプロケットに噛合してその先端が前記可動鋏体の自由端に係止されるチェーンを設け、このチェーンの後端を切断具閉じ方向に引っ張るスプリングを固定操作棒内に配し、ラチェット爪は、ラチェットホイールに切断具閉じ方向の回転駆動力を伝達するように噛合する送り爪部と、前記自由端から外側方へ突設した握りレバーによって切断具を開いたときにその開き状態を維持するためにラチェットホイールにその切断具閉じ方向の回転のみを阻止するように噛合するロック爪部とからなり、これら送り爪部とロック爪部のラチェットホイールへの噛合を切り換えるための切り換えレバーを、ラチェット爪に取付けたことを特徴とするケーブルカッター。
【発明の詳細な説明】
【０００１】
【発明の属する技術分野】
本発明は、架空配電線や通信線などのケーブルを切断することのできる手動式のケーブルカッターに関するものである。
【０００２】
【従来の技術】
この種のケーブル、例えば電柱間に架け渡されている配電線を切断する場合には、両側を掴線器等で掴持して撓ませた状態の配電線を、切刃部に挟み込んで剪断することのできる大型ニッパ等の手動式のケーブルカッターが広く用いられている。
【０００３】
このようなケーブルカッターは、切刃部をそれぞれ備えた１対の鋏体からなる西洋鋏形状の切断具と、この切断具を開閉動させる操作具とから構成され、操作具を両手で把持して開閉動することによって、切断具の切刃部間で挟んだケーブルを剪断により切断するものである。
【０００４】
【発明が解決しようとする課題】
しかしながら上記従来のケーブルカッターにおいては、強い力で切断することができる切刃部の根元である鋏体の交叉部近傍でケーブルを挟み付け、大きな操作力で切断する必要がある。その上、切断面が傾かないようにケーブルにカッターを直交させ慎重に操作する必要もある。また、芯線の周りに絶縁被覆材を被覆した被覆配電線の場合には、切断状態が不具合であると、切断後の作業、例えば切断部分を他の電線に接続したりスリーブ等を締結するために被覆部を剥取って芯部を露出する作業が困難になるので、切断操作に熟練を要するという問題もある。
【０００５】
したがって適切な操作力をもって切断作業を行うには熟練や労力を要するので、女性や未熟練者には扱いにくいものとなっている。
【０００６】
そこで本発明は、切断操作に熟練や労力を要することなく、被覆線等のケーブルを均一かつ小さな操作力で操作性良く切断することのできるケーブルカッターを提供することを目的とする。
【０００７】
【課題を解決するための手段】
本発明は上記目的を達成するため、切刃部を有する１対の鋏体からなる西洋鋏形状の切断具を、固定鋏体と可動鋏体から構成すると共に、前記切断具を開閉動させる操作具を固定操作棒と可動操作棒から構成し、固定操作棒の先端部にスプロケットおよびラチェットホイールを同軸一体関係に軸支すると共に、可動操作棒に前記ラチェットホイールに切断具閉じ方向の回転駆動力を伝達するように噛合するラチェット爪を設け、さらに前記スプロケットに噛合してその先端が前記可動鋏体の自由端に係止されるチェーンを設け、このチェーンの後端を切断具閉じ方向に引っ張るスプリングを固定操作棒内に配し、ラチェット爪は、ラチェットホイールに切断具閉じ方向の回転駆動力を伝達するように噛合する送り爪部と、前記自由端から外側方へ突設した握りレバーによって切断具を開いたときにその開き状態を維持するためにラチェットホイールにその切断具閉じ方向の回転のみを阻止するように噛合するロック爪部とからなり、これら送り爪部とロック爪部のラチェットホイールへの噛合を切り換えるための切り換えレバーを、ラチェット爪に取付けたことを特徴とするものである。
【０００８】
本発明によれば、ラチェット爪とラチェットホイールとの噛合を外してから、握りレバー等の可動鋏体の自由端を把持して、チェーンを引っ張っているスプリングの力に抗して動かして切断具を強制的に開き、１対の鋏体の切刃部間にケーブルを介在させる。そして把持部分を離すと、一瞬にして前記自由端に係止されているチェーンを固定操作棒内に配されているスプリングが切断具の閉じ方向に引っ張ることで、１対の鋏体を交叉させた形状の切断具が、その交叉部を中心にして可動鋏体が固定鋏体に向けて回動する形で閉じて切刃部間でケーブルを挟み付ける。
【０００９】
その後、ラチェット爪をラチェットホイールに噛合した状態で、操作具の可動操作棒を往復開閉操作することによって、ラチェット爪がラチェットホイールを１歯ずつ送っていき、それらラチェット機構の働きで、ラチェットホイールに同軸一体関係に軸支されたスプロケットを切断具の閉じ方向に間欠的に回転させ、その回転駆動力のみがチェーンを介して可動鋏体に伝達され、可動鋏体をさらに固定鋏体に向けて回動させて徐々にケーブルを切断することにより、均一かつ小さな操作力で大きな剪断力が得られるのでより操作性が良くなる。この際、スプリングは、チェーンを常に切断具の閉じ方向に引っ張っているので、ラチェットホイールが回転していく際に、一時的にラチェットホイールを保持してその逆転防止を図るための逆転防止爪が不要になるので、部品点数を減らすことができる。
【００１０】
特に、切断具を強制的に開いた際にチェーンを閉じ方向に絶えず引っ張るスプリングの力が強くても、ロック爪部がラチェットホイールに噛合してその切断具閉じ方向の回転を阻止しているので、切断具を所望の開き角度に維持しながら握りレバーにより開いていくことができ、その後、切り換えレバーによってラチェットホイールへの噛合をロック爪部から送り爪部に切り換えると、ロック爪部とラチェットホイールとの噛合が解かれ、スプリングがチェーンを引っ張って可動鋏体を回動させてケーブルを挟み付け、前述したような切断操作に移行することができる。こうした開き状態維持（ロック爪部）と切断操作（送り爪部）を１つの部材（ラチェット爪）で兼用することができるので構造が簡単になる。
【００１１】
【発明の実施の形態】
以下、本発明の一実施形態を図１〜図５を用いて具体的に説明する。
【００１２】
本発明のケーブルカッターは、切刃部３がほぼＬ字状に形成された１対の鋏体とからなる西洋鋏形状の切断具２と、この切断具２を開閉動させる操作具４とから主構成されている。切断具２は固定鋏体１ａと可動鋏体１ｂから構成され、それらは交叉部を枢軸５と枢軸固定ナット６（図３）により枢軸５を中心にして回動可能に枢支されている。
【００１３】
固定鋏体１ａの基端部には、固定操作棒９の先端部を構成する固定先端カバー７が、ボルト８ａとナット８ｂ（図３）により固定されている。この固定先端カバー７の内部には空間部が形成され、その基端部７ａには固定操作棒９の本体部分の先端が嵌合固定される一方、空間部には回転軸１５に軸支される図３と図４に示すスプロケット１１とラチェットホイール１２を収容している。基端部７ａの上方に突設されるストッパ２２は、図１に示すように、可動操作棒１０の下面に当接させてその下方への回動を所定位置で停止させるためのものである。
【００１４】
固定先端カバー７の内側には可動操作棒１０の先端部を構成する可動先端カバー１３が取付けられ、この可動先端カバー１３を介してボルト１４によって、可動操作棒１０の本体部分が固定操作棒９の固定先端カバー７に連結されている。可動操作棒１０の先端部にはラチェット爪１６が枢軸１７によって枢着されている。このラチェット爪１６は、噛合時に切断具２の閉じ方向ａにのみラチェットホイール１２に回転力を伝達する送り爪部１６ａと、噛合時に切断具２の閉じ方向ａのラチェットホイール１２の回転を阻止し、逆方向の回転をフリーとするロック爪部１６ｂとからなる。これら送り爪部１６ａとロック爪部１６ｂのラチェットホイール１２への噛合を切り換えるための切り換えレバー２４が、ラチェット爪１６に取付けられ、この切り換えレバー２４により、いずれかの爪部（１６ａか１６ｂ）が図示しないバネ等の働きによりラチェットホイール１２側へ押圧され噛合される。
【００１５】
上記のように本実施形態では図２に示すように、ラチェット爪１６の送り爪部１６ａがラチェットホイール１２の歯部１２ａに噛合することによって、可動操作棒１０の往復回動時にラチェットホイール１２が矢印ａ方向にのみ回転駆動されるラチェット機構を構成している。
【００１６】
したがって、可動操作棒１０が矢印ａとは逆方向に上方回動するときは送り爪部１６ａが歯部１２ａに対しフリーの関係となって、ラチェットホイール１２上を摺動するので、ラチェットホイール１２およびスプロケット１１は回転せず、一方、可動操作棒１０が矢印ａ方向に下方回動するときには、ラチェット爪１６がラチェットホイール１２を枢軸１５を中心にして矢印ａ方向に回転させ、同時にスプロケット１１を同方向に回転させる。
【００１７】
可動鋏体１ｂの基端部（自由端）には握りレバー１８が外側方に突設され、その握りレバー１８に、固定操作棒９内に配されたスプリング１９（図４と図５）によって付勢されつつ固定操作棒９内に収容されるチェーン２０が係止されている。尚、スプリング１９は、チェーン２０を常に切断具２の閉じ方向に引っ張っているので、可動操作棒１０の往復開閉動作によってラチェットホイール１２を回転させていく際に、一時的にラチェットホイール１２を保持してその逆転防止を図るための逆転防止爪が不要になるので、部品点数を減らすことができる。２１はチェーン２０をガイドするローラである。チェーン２０はスプロケット１１外周に巻回され噛合されており、このチェーン２０を介し、ラチェットホイール１２と同軸一体回転するスプロケット１１の矢印ａ方向の回転を、可動鋏体１ｂに伝達し、可動鋏体１ｂを前記枢軸５を中心にして切断具２の閉じ方向に固定鋏体１ａに向けて回動させる。
【００１８】
可動操作棒１０と固定操作棒９の両本体部分は共に、絶縁性のＦＲＰ製のパイプの終端に、両手で把持し易いようにゴム製のグリップ２５が取付けられている。
【００１９】
切断具２を構成する可動鋏体１ｂと固定鋏体１ａは共に、ほぼＬ字状に形成された１対の切刃部３を備えている。
【００２０】
切刃部３の屈曲部箇所３ａの刃先はほぼ平らに形成されていて刃こぼれの生じにくい形状に形成される一方、切刃部３の屈曲部から先端に延びる直線部箇所３ｂの刃先は鋭利なものとなっていて、図５に示す芯部２ａの周りに被覆部２３ｂを備えた被覆線（ケーブル）２３の被覆部２３ｂに切り込み易い形状に形成されている。一般に、上記のような西洋鋏形状の切断具２は、１対の鋏体１が交叉する枢着部５の内側では、操作部４の操作力（本実施形態ではラチェット機構による可動操作棒１０の下方回動操作）が最も増幅されて伝達されるので、可動鋏体１ｂと固定鋏体１ａで挟み込んだ被覆線２３に強い力が加わり、刃先端が平らに形成されていても十分に剪断することが可能になる。また、屈曲部箇所３ａから先端に向かうにつれて操作力が伝達されにくくなるが、直線部箇所３ｂでは刃先端が鋭利に形成されているので、被覆線２３の被覆部２３ｂを切り込むことで小さい力でも切断することが可能になる。
【００２１】
上記のように構成されたケーブルカッターを用いて、被覆線２３を切断する作業を図４と図５を参照して説明する。
【００２２】
まず、図４に示すように切り換えレバー２４によってラチェットホイール１２への噛合を、ラチェット爪１６の送り爪部１６ａからロック爪部１６ｂに切り換えた状態で、握りレバー１８を把持して常に閉じ方向に引っ張っているスプリング１９の力に抗して、切断具２の閉じ方向とは逆方向ｂに強制的に可動鋏体１ｂを回動させて開き状態にセットする。尚、回動させているときには、ロック爪部１６ｂはチェーン２０の引っ張りに伴って回転するスプロケット１１と前記ｂ方向に同軸回転するラチェットホイール１２の歯部１２ａの上を摺動しているが、所望の角度に切断具２を開いた後には歯部１２ａに係止してそのａ方向の回転を阻止し、開き状態を維持することができる。
【００２３】
そして、電柱間に架け渡されてその両側を掴線器等で掴持しつつ撓ませた状態（図示せず）になった被覆線２３にケーブルカッターを直交するような状態で、固定鋏体１ａと可動鋏体１ｂとの間に被覆線２３を介在させる。その後、切り換えレバー２４を操作するか、あるいは図４の仮想線に示すように可動操作棒１０を大きく開いて、切り換えレバー２４を固定操作棒９の固定先端カバー７の突出部７ｂに当接させて自動的に切り換えレバー２４を切り換えることによって、ロック爪部１６ｂと歯部１２ａとの噛合を解いてから握りレバー１８を離すと、一瞬にして図５に示すように可動鋏体１ｂの自由端に係止されているチェーン２０によりスプリング１９が矢印Ｂ方向に引っ張られ、切断具２が、その交叉部を中心にして可動鋏体１ｂが固定挟体１ａに向けて回動する形で閉じてその切刃部３、３間で被覆線２３を挟み付ける。
【００２４】
そして図５に示すように送り爪部１６ａが歯部１２ａに噛合した状態で、可動操作棒１０を実線と仮想線に示すように往復開閉操作させると、ラチェット爪１６の送り爪部１６ａが歯部１２ａを１つづつ送っていき、ラチェットホイール１２が間欠的に回転することによりスプロケット１１も回転し、それに噛合されているチェーン２０が後方に送られる。そしてチェーン２０にその自由端を連結されている可動鋏体１ｂをさらに固定鋏体１ａに向けて回動させていき、切刃部３間に挟まれた被覆線２３を徐々に切断することができる。このように本実施形態では、可動操作棒１０の往復開閉操作に伴うラチェット機構の働きで、スプロケット１１の回転駆動力のみがチェーン２０を介して可動鋏体１ｂに伝達され、可動鋏体１ｂを前記のように回動させて徐々に被覆線２３を切断することができるので、均一かつ小さな操作力で大きな剪断力が得られるので、より操作性が良くなる。
【００２５】
切断の際には、切刃部３の先端の直線部箇所３ｂの鋭利な刃先で、樹脂やゴム等のからなる軟質の被覆部２３ｂを押し潰すことなく切り込んで切断することができる。次に、銅撚線等からなる硬質の芯部２３ａを、可動操作棒１０の操作力が最も伝達される枢着部５の内側に位置する屈曲部箇所３ａの刃先で挟み込み、強い力で剪断することができる。この刃先はほぼ平らになっているので、刃こぼれや磨耗を防止することができる。
【００２６】
本発明は上記実施形態に示すほか種々の態様に構成することができ、例えば、本実施形態のケーブルカッターは被覆線の切断に用いているが、刃先形状を各種ケーブルに合ったものに変更することによって、他のワイヤーロープや通信線等のケーブル切断用カッターに実施することもできる。
【００２７】
【発明の効果】
本発明によれば、熟練と労力を要することなくケーブルを均一かつ小さな操作力で大きな剪断力をもって切断することができる手動式のケーブルカッターを提供することができる。
【図面の簡単な説明】
【図１】本発明の一実施形態を示す正面図
【図２】同実施形態の要部を示す断面図。
【図３】同実施形態の要部を示す平面図。
【図４】同実施形態における切断具の開き状態を示す断面図。
【図５】同実施形態における切断操作状態を示す断面図。
【符号の説明】
１ａ  固定鋏体
１ｂ  可動鋏体
２  切断具
３  切刃部
４  操作具
９  固定操作棒
１０  可動操作棒
１１  スプロケット
１２  ラチェットホイール
１６  ラチェット爪
１６ａ  送り爪部
１６ｂ  ロック爪部
１８  握りレバー
１９  スプリング
２０  チェーン
２３  被覆線（ケーブル）
【図１】
0004709353.tif 000002
【図２】
0004709353.tif 000003
【図３】
0004709353.tif 000004
【図４】
0004709353.tif 000005
【図５】
0004709353.tif 000006